(57)【要約】【課題】液体式急速凍結機用の物品昇降機において、アーム部の先端に配置された昇降基台に対して、物品を保持する板部材を容易に着脱できるようにする。【解決手段】物品昇降機１は、前記不凍液を溜めた凍結槽２０の外側に配置された昇降駆動部１０と、凍結槽２０の内側に昇降自在に配置された昇降基台１１と、昇降駆動部１０と昇降基台１１とを凍結槽の上縁を跨いで連結するアーム部１２とを備えており、昇降基台１１は、物品を保持する保持具１４が形成された板部材１３を着脱自在に嵌合保持する枠部１１ａを備えている。【選択図】図１
2020147410.tif 000002
【特許請求の範囲】
【請求項１】
予め冷却した不凍液に凍結対象物品を漬けて急速凍結させる液体式急速凍結機用の物品昇降機において、
前記不凍液を溜めた凍結槽の外側に配置された昇降駆動部と、
前記凍結槽の内側に昇降自在に配置された昇降基台と、
前記昇降駆動部と前記昇降基台とを前記凍結槽の上縁を跨いで連結するアーム部とを備えており、
前記昇降基台は、前記物品を保持する保持具が形成された板部材を着脱自在に嵌合保持する枠部を備えていることを特徴とする液体式急速凍結機用の物品昇降機。
【請求項２】
前記保持具は、前記板体上に前記物品を受け入れて保持する保持穴を前記板部材に形成する構造であることを特徴とする請求項１に記載の液体式急速凍結機用の物品昇降機。
【請求項３】
前記保持具は開閉自在な蓋部を有し、かつ天井面及び側面に網目が形成されたバスケットであることを特徴とする請求項１に記載の液体式急速凍結機用の物品昇降機。
【請求項４】
前記板部材には、昇降時に不凍液の抵抗を減じるための複数の不凍液流通孔が形成されていることを特徴とする請求項１乃至３のいずれか一項に記載の液体式急速凍結機用の物品昇降機。
【発明の詳細な説明】
【技術分野】
【０００１】
本発明は、液体式急速凍結機用の物品昇降機に関する。
【背景技術】
【０００２】
次の特許文献には、小型急速液体凍結機に被凍結物品を浸漬し所定時間経過後に引き上げる作業を機械化するための物品昇降機が記載されている。
【先行技術文献】
【特許文献】
【０００３】
【特許文献１】実登3204544号公報
【発明の概要】
【発明が解決しようとする課題】
【０００４】
前記特許文献には、種々の形状の物品載置部を下向き腕部に着脱可能に装着することも記載されている。しかしながら物品載置部を下向き腕部に着脱自在かつように装着するための具体的な構成については教示していない。これに対して本発明は、アーム部の先端に配置された昇降基台に対して、物品を保持する板部材を容易に着脱できる液体式急速凍結機用の物品昇降機を提供することを目的としている。
【課題を解決するための手段】
【０００５】
本発明に係る液体式急速凍結機用の物品昇降機は、予め冷却した不凍液に凍結対象物品を漬けて急速凍結させる液体式急速凍結機用の物品昇降機において、前記不凍液を溜めた凍結槽の外側に配置された昇降駆動部と、前記凍結槽の内側に昇降自在に配置された昇降基台と、前記昇降駆動部と前記昇降基台とを前記凍結槽の上縁を跨いで連結するアーム部とを備えており、前記昇降基台は、前記物品を保持する保持具が形成された板部材を着脱自在に嵌合保持する枠部を備えていることを特徴とする。
【発明の効果】
【０００６】
本発明では、物品を保持する板部材を昇降基台に対して嵌合によって装着するようにしているので、昇降基台に対してこの板部材を容易に着脱できる。
【図面の簡単な説明】
【０００７】
【図１】（ａ）、（ｂ）はいずれも実施形態の一例である物品昇降機の斜視図である。
【図２】アーム部、昇降基台及び板部材の分解斜視図である。
【図３】（ａ）、（ｂ）はいずれも板部材の変形例の斜視図である。
【図４】板部材の変形例の斜視図である。
【発明を実施するための形態】
【０００８】
図１。ここに図１（ａ）は物品昇降機の要素である物品保持部が上昇した状態を示し、図１（ｂ）はその物品保持部が下降した状態を示している。
【０００９】
急速凍結機２は、エチルアルコール等を含んだ不凍液を凍結槽２０に溜めて予めー３０〜４０度程まで予め冷却しておき、この不凍液に凍結対象物品（以下単に物品と云う）を浸漬して急速凍結させる小型の設備機器であり、その構造や作用は従来と同様である。
急速凍結機２は、筐体２１の上面が開放されており、その開放された上面よりも内側に凍結槽２０が配置されている。凍結槽２０は、普通鋼、ステンレス鋼、断熱材等からなる長方形状の槽である。凍結槽２０の下方には、コンプレッサーや凝集器等からなる冷却ユニットが収容され、この冷却ユニットと管路によって接続された蒸発器が凍結槽２０の内側適所に配置されている（図示なし）。凍結槽２０に溜められた不凍液は、その蒸発器によって冷却される。急速凍結機２は凍結槽２０を閉鎖する蓋２２を備えている。蓋２２の裏側には、物品昇降機１のアーム部と干渉しないための凹部２２ａが形成されている。
【００１０】
物品昇降機１は、凍結槽２０の外側に配置された昇降駆動部１０と、凍結槽２０の内側に昇降自在に配置された昇降基台１１と、昇降駆動部１０と昇降基台１１とを凍結槽２０の上縁を跨いで連結するアーム部１２とを備えている。
【００１１】
昇降駆動部１０は、本体部１０ａとモーター１０ｂとで構成されており、急速凍結機２の凍結槽２０の外側に固定されている。本体部１０ａは前面に上昇、下降、停止等の操作キーが設けられており、モーター１０ｂの回転を上下動に変換する動力変換機構を内蔵している。
【００１２】
昇降基台１１は、普通鋼あるいはステンレス鋼等からなり、物品を保持する保持具１４が形成された板部材１３を着脱自在に嵌合保持する枠部１１ａを備えている。
【００１３】
アーム部１２は、普通鋼あるいはステンレス鋼等からなり、その基部は昇降駆動部１０に連結され、その先端は昇降基台１１に結合している。アーム部１２は、凍結槽２０の上縁を跨いだ状態のまま、昇降駆動部１０の作動によって上昇あるいは下降して、昇降基台１１を凍結槽２０の内側で上下移動させる。
【００１４】
板部材１３は、普通鋼あるいはステンレス鋼等からなり、物品を保持する保持具１４として保持孔が形成されている。板部材１３は、昇降基台１１の枠部１１ａにぴったりと嵌合するサイズになっている。なお板部材１３を複数種類用意しておけば自在に交換できるので利便である。
【００１５】
図２は、アーム部、昇降基台及び板部材の分解斜視図である。この例では、アーム部１２と昇降基台１１が一体化されている。昇降基台１１の枠部１１ａの四隅には、枠部１１ａに嵌合された板部材１３を支持する支持部１１ｂが形成されている。また板部材１３をその支持部１１ｂに対してネジ１５によって固定できる。ただし板部材１３を昇降基台１１に特に固定しなくてもよい。また固定方法もネジ止めに限定されずことはなく、磁石による吸着等、どのような方法であってもよい。
【００１６】
以下、板部材の変形例を説明する。
図３（ａ）は第一の変形例である。この板部材１３は、物品を保持する保持具１４として保持孔が形成されている。保持孔は、コップ形状の物品Ｍに対応している。また板部材１３には、昇降時に不凍液の抵抗を減じるための複数の不凍液流通孔１３ａも形成されている。このように不凍液流通孔１３ａを板部材１３全体に不凍液流通孔１３ａを形成しておけば、昇降基台１１及び板部材１３の昇降をより高速に行うことが可能であり、その際に不凍液が凍結槽２０から溢れ出すことも抑えられる。
【００１７】
図３（ｂ）は第二の変形例である。この板部材１３は、物品Ｍを保持する保持具１４として中空の円筒体が設けられている。円筒体は、普通鋼、ステンレス鋼あるいは樹脂等からなり、ビン形状の物品Ｍに対応している。円筒体は板部材１３に固着されていてもよいし、磁石等によって吸着されていてもよい。
【００１８】
図４は第三の変形例である。この板部材１３は、物品を保持する保持具１４として、開閉自在な蓋部１４ａを有し、かつ天井面（蓋部）及び側面に網目１４ｂが形成されたバスケットが設けられている。バスケットは、普通鋼、ステンレス鋼あるいは樹脂等からなる。バスケットの蓋部１４ａにはロック機構を設けるとよい。このようなバスケットを板部材１３に設けておけば、不凍液に浮いてしまうような低比重な物品でも不凍液に確実に浸漬させることが可能になる。
なお第一〜第三の変形例に示す板部材１３は、共通の昇降基台１１に対して交換可能である。
【符号の説明】
【００１９】
１        物品昇降機
１０      昇降駆動部
１１      昇降基台
１１ａ    枠部
１２      アーム部
１３      板部材
１３ａ    不凍液流通孔
１４      保持具
２        液体式急速凍結機
２０      凍結槽
【図１】
2020147410.tif 000003
【図２】
2020147410.tif 000004
【図３】
2020147410.tif 000005
【図４】
2020147410.tif 000006